(57)【特許請求の範囲】
【請求項１】
複数個の信号点に乗算する送信重みを選択して、選択した前記送信重みを各前記信号点の信号に乗算し、乗算後の前記複数個の信号点を同一の周波数及び時間リソース上で多重する送信処理部を備え、
前記送信処理部は、各前記信号点に乗算する前記送信重みの選択ルールを異ならせ、選択された複数の前記送信重みの中から、電力レイヤのインデックスに基づいて前記送信重みを選択する送信装置。
【請求項２】
前記送信処理部は、前記送信重みを乗算後の前記複数個の信号点を同一の周波数及び時間リソース上で多重する際に、各前記信号点に割り当てる電力レベルを異ならせる、請求項１に記載の送信装置。
【請求項３】
前記送信処理部は、前記送信重みを選択する際に、電力レベルが小さい前記信号点に乗算する前記送信重みの選択ルールを切り替える、請求項２に記載の送信装置。
【請求項４】
前記送信処理部は、前記送信重みを準静的に選択する、請求項３に記載の送信装置。
【請求項５】
前記送信処理部は、準静的に選択された複数の前記送信重みの中から動的に前記送信重みを選択する、請求項４に記載の送信装置。
【請求項６】
前記送信処理部は、動的に前記送信重みを選択する際に前記送信重みの切り替え判断を行う、請求項５に記載の送信装置。
【請求項７】
前記送信処理部は、ランダムなタイミングで前記送信重みを切り替える、請求項６に記載の送信装置。
【請求項８】
前記送信処理部は、送信された信号を受信する受信装置からのフィードバックに基づいて前記送信重みを切り替える、請求項６に記載の送信装置。
【請求項９】
前記送信処理部は、予め決められたタイミングで前記送信重みを切り替える、請求項６に記載の送信装置。
【請求項１０】
前記送信処理部は、送信された信号を受信する受信装置で復号誤りが発生したタイミングで前記送信重みを切り替える、請求項６に記載の送信装置。
【請求項１１】
前記送信処理部は、一度送信した信号を再送するタイミングで前記送信重みを切り替える、請求項６に記載の送信装置。
【請求項１２】
前記送信処理部は、送信された信号を受信する受信装置の位置情報に基づいて前記送信重みを切り替える、請求項６に記載の送信装置。
【請求項１３】
前記送信処理部が切り替えた前記送信重みに関する情報を、送信される信号を受信する受信装置へ通知する通知部をさらに備える、請求項５に記載の送信装置。
【請求項１４】
前記通知部は、前記送信重みに関する情報をＤｏｗｎｌｉｎｋ  Ｃｏｎｔｒｏｌ  Ｉｎｆｏｒｍａｔｉｏｎの一部として通知する、請求項１３に記載の送信装置。
【請求項１５】
前記通知部は、前記送信重みに関する情報として前記送信重みのＣｏｄｅｂｏｏｋ  Ｉｎｄｅｘを通知する、請求項１３に記載の送信装置。
【請求項１６】
前記通知部は、前記送信重みに関する情報として前記送信重みの切り替え可能タイミングを通知する、請求項１３に記載の送信装置。
【請求項１７】
前記送信処理部は、準静的に選択された複数の前記送信重みの中から、干渉をキャンセルする処理に関する情報を用いて前記送信重みを選択する、請求項４に記載の送信装置。
【請求項１８】
前記送信処理部は、準静的に選択された複数の前記送信重みの中から、対象の前記信号点以外の信号点に乗算される送信重みに基づいて前記送信重みを選択する、請求項４に記載の送信装置。
【発明の詳細な説明】
【技術分野】
【０００１】
本開示は、送信装置に関する。
【背景技術】
【０００２】
ＬＴＥ（Long  Term  Evolution）／ＬＴＥ−Ａ（Advanced）に続く第５世代（５Ｇ）移動体通信システムの無線アクセス技術（Radio  Access  Technology：ＲＡＴ）として、非直交多元接続（Non-Orthogonal  Multiple  Access；ＮＯＭＡ）が注目されている。ＬＴＥにおいて採用されているＯＦＤＭＡ（Orthogonal  Frequency-Division  Multiple  Access）及びＳＣ−ＦＤＭＡ（Single-Carrier  Frequency-Division  Multiple  Access）では、無線リソース（例えば、リソースブロック）は、重複なくユーザに割り当てられる。これらの方式は、直交多元接続と呼ばれ得る。一方、非直交多元接続では、無線リソースは、重複してユーザに割り当てられる。非直交多元接続では、ユーザの信号が互いに干渉するが、受信側における高精度な復号処理によりユーザごとの信号が取り出される。非直交多元接続は、理論的には、直交多元接続よりも高いセル通信容量を実現することが可能である。
【０００３】
非直交多元接続に分類される無線アクセス技術の１つとして、ＳＰＣ（Superposition  Coding）多重化／多元接続が挙げられる。ＳＰＣは、異なる電力が割り当てられた信号を少なくとも一部が重複する周波数及び時間の無線リソース上で多重化する方式である。受信側では、同一の無線リソース上で多重化された信号の受信／復号のために、干渉除去（Interference  Cancellation）及び／又は繰返し検出などが行われる。
【０００４】
例えば、特許文献１及び２には、ＳＰＣ又はＳＰＣに準ずる技術として、適切な復調／復号を可能にする振幅（又は電力）の設定の手法が開示されている。また、例えば、特許文献３には、多重化された信号を受信するためのＳＩＣ（Successive  Interference  Cancellation）の高度化の手法が開示されている。
【先行技術文献】
【特許文献】
【０００５】
【特許文献１】特開２００３−７８４１９号公報
【特許文献２】特開２００３−２２９８３５号公報
【特許文献３】特開２０１３−２４７５１３号公報
【発明の概要】
【発明が解決しようとする課題】
【０００６】
ＳＰＣを用いた信号処理技術においては、多重化された複数の電力レイヤの信号（干渉信号及び所望信号）の復号精度の向上が求められている。
【０００７】
そこで、本開示では、電力割当てを用いた多重化／多元接続が行われる場合に所望信号の復号精度をより向上させることが可能な、新規かつ改良された送信装置及び受信装置を提案する。
【課題を解決するための手段】
【０００８】
本開示によれば、複数個の信号点に乗算する送信重みを選択して、選択した前記送信重みを各前記信号点の信号に乗算し、乗算後の前記複数個の信号点を同一の周波数及び時間リソース上で多重する送信処理部を備え、前記送信処理部は、各前記信号点に乗算する前記送信重みの選択ルールを異ならせる、送信装置が提供される。
【０００９】
また本開示によれば、複数個の信号点に乗算する送信重みを選択して、選択した前記送信重みを各前記信号点の信号に乗算し、乗算後の前記複数個の信号点を同一の周波数及び時間リソース上で多重して送信する送信装置から送信される、前記送信重みの切り替え可能タイミングの通知を取得する取得部と、前記取得部が前記送信重みの切り替え可能タイミングの通知を取得すると、前記送信装置へ前記送信重みの切り替え要求を通知する通知部と、を備える、受信装置が提供される。
【発明の効果】
【００１０】
以上説明したように本開示によれば、電力割当てを用いた多重化／多元接続が行われる場合に所望信号の復号精度をより向上させることが可能な、新規かつ改良された送信装置及び受信装置を提供することが出来る。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】ＳＰＣをサポートする送信装置における処理の一例を説明するための説明図である。
【図２】ＳＰＣをサポートする送信装置における処理の一例を説明するための説明図である。
【図３】干渉除去を行う受信装置における処理の一例を説明するための説明図である。
【図４】ＮＯＭＡ／ＳＰＣにおける受信装置での干渉除去の必要性を説明するための説明図である。
【図５】本開示の実施の形態が適用されうる通信ネットワークの全体構成の一例を示す説明図である。
【図６】論理エンティティと物理的ネットワーク装置の違いの一例を示したものである。
【図７】ＭＴＣ（Ｍａｃｈｉｎｅ  Ｔｙｐｅ  Ｃｏｍｍｕｎｉｃａｔｉｏｎｓ）におけるネットワーク構成を示す説明図である。
【図８】本実施の形態が対象とするＨｅｔＮｅｔやＳＣＥのネットワーク構成を示す説明図である。
【図９】本開示の実施形態に係るシステム１の概略的な構成の一例を示す説明図である。
【図１０】本開示の実施形態に係る基地局１００の構成の一例を説明する。
【図１１】本開示の実施形態に係る端末装置２００の構成の一例を説明する。
【図１２】本開示の実施の形態に係る基地局１００の動作例を示す流れ図である。
【図１３】本開示の実施の形態に係る基地局１００による送信重みの選択方法を説明する説明図である。
【図１４】本実施の形態に係る基地局１００（送信機）及び端末装置２００（受信機）の動作例を示す流れ図である。
【図１５】電力レイヤにＣｏｄｅｂｏｏｋ  Ｉｎｄｅｘが紐づけられている場合の一例を示す説明図である。
【図１６】Ｃｏｄｅｂｏｏｋ  Ｉｎｄｅｘの組み合わせにおける受信特性の例を示す説明図である。
【図１７】ｅＮＢの概略的な構成の第１の例を示すブロック図である。
【図１８】ｅＮＢの概略的な構成の第２の例を示すブロック図である。
【図１９】スマートフォンの概略的な構成の一例を示すブロック図である。
【図２０】カーナビゲーション装置の概略的な構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の実施の形態
１．１．概要
１．２．構成例
１．３．動作例
２．基地局に関する応用例
３．端末装置に関する応用例
４．まとめ
【００１５】
＜１．本開示の実施の形態＞
［１．１．概要］
まず、本開示の実施の形態の概要について説明する。最初に、図面を参照しながら、ＳＰＣの処理及び信号を説明する。
【００１６】
（１）各装置における処理
（ａ）送信装置における処理
図１及び図２は、ＳＰＣをサポートする送信装置における処理の一例を説明するための説明図である。図１を参照すると、例えば、ユーザＡ、ユーザＢ及びユーザＣの各々のビットストリーム（例えば、トランスポートブロック）が処理される。これらのビットストリームの各々について、いくつかの処理（例えば、図２に示されるような）ＣＲＣ（Cyclic  Redundancy  Check）符号化、ＦＥＣ（Forward  Error  Correction）符号化、レートマッチング及びスクランブリング／インタリービング）が行われ、その後変調が行われる。そして、レイヤマッピング、電力割当て、プリコーディング、ＳＰＣ多重、リソースエレメントマッピング、ＩＤＦＴ（Inverse  Discrete  Fourier  Transform）／ＩＦＦＴ（Inverse  Fast  Fourier  Transform）、ＣＰ（Cyclic  Prefix）挿入、並びに、デジタルからアナログ及びＲＦ（Radio  Frequency）への変換などが行われる。
【００１７】
とりわけ、電力割当てにおいて、ユーザＡ、ユーザＢ及びユーザＣの各々の信号に電力が割り当てられ、ＳＰＣ多重化において、ユーザＡ、ユーザＢ及びユーザＣの信号が多重化される。
【００１８】
（ｂ）受信装置における処理
図３は、干渉除去を行う受信装置における処理の一例を説明するための説明図である。図３を参照すると、例えば、ＲＦ及びアナログからデジタルへの変換、ＣＰ除去（removal）、ＤＦＴ（Discrete  Fourier  Transform）／ＦＦＴ（Fast  Fourier  Transform）、並びに、ジョイント干渉除去、等化及び復号などが行われる。その結果、ユーザＡ、ユーザＢ及びユーザＣの各々のビットストリーム（例えば、トランスポートブロック）が得られる。
【００１９】
（２）送信信号及び受信信号
（ａ）ダウンリンク
次に、ＳＰＣが採用される場合のダウンリンクの送信信号及び受信信号を説明する。ここでは、ＨｅｔＮｅｔ（Heterogeneous  Network）又はＳＣＥ（Small  Cell  Enhancement）などのマルチセルシステムを想定する。
【００２０】
対象のユーザｕが接続するセルのインデックスをｉで表し、当該セルに対応する基地局の送信アンテナの数をＮＴＸ，ｉで表す。当該送信アンテナの各々は、送信アンテナポートとも呼ばれ得る。セルｉからユーザｕへの送信信号は、以下のようにベクトル形式で表されることが可能である。
【００２１】
【数１】
0006668686.tif 000002
【００２２】
【数２】
0006668686.tif 000003
【００２３】
【数３】
0006668686.tif 000004
【００２４】
【数４】
0006668686.tif 000005
【００２５】
上述した式において、ＮＳＳ，ｕは、ユーザｕについての空間送信ストリーム数である。基本的には、ＮＳＳ，ｕは、ＮＴＸ，ｉ以下の正の整数である。ベクトルｘｉ，ｕは、ユーザｕへの空間ストリーム信号である。このベクトルの各要素は、基本的には、ＰＳＫ（Phase  Shift  Keying）又はＱＡＭ（Quadrature  Amplitude  Modulation）などのデジタル変調シンボルに相当する。行列Ｗｉ，ｕは、ユーザｕについてのプリコーディング行列（Precoding  Matrix）である。この行列内の要素は、基本的には複素数であるが、実数であってもよい。
【００２６】
行列Ｐｉ，ｕは、セルｉにおけるユーザｕのための電力割当て係数行列である。この行列では、各要素が正の実数であることが望ましい。なお、この行列は、以下のような対角行列（即ち、対角成分以外が０である行列）であってもよい。
【００２７】
【数５】
0006668686.tif 000006
【００２８】
空間ストリームについて適応的な電力割当てが行われない場合には、行列Ｐｉ，ｕの代わりに、スカラ値Ｐｉ，ｕが用いられてもよい。
【００２９】
セルｉには、ユーザｕのみではなく他のユーザｖも存在し、他のユーザｖの信号ｓｉ，ｖも、同一の無線リソースで送信される。これらの信号は、ＳＰＣを用いて多重化される。多重化後のセルｉからの信号ｓｉは、以下のように表される。
【００３０】
【数６】
0006668686.tif 000007
【００３１】
上述した式において、Ｕｉは、セルｉにおいて多重化されるユーザの集合である。ユーザｕのサービングセル以外のセルｊ（ユーザｕにとっての干渉源となるセル）でも、同様に送信信号ｓｊが生成される。ユーザ側では、このような信号が干渉として受信される。ユーザｕの受信信号ｒｕは、以下のように表されることが可能である。
【００３２】
【数７】
0006668686.tif 000008
【００３３】
【数８】
0006668686.tif 000009
【００３４】
【数９】
0006668686.tif 000010
【００３５】
上述した式において、行列Ｈｕ，ｉは、セルｉ及びユーザｕについてのチャネル応答行列である。行列Ｈｕ，ｉの各要素は、基本的には複素数である。ベクトルｎｕは、ユーザｕの受信信号ｒｕに含まれる雑音である。例えば、当該雑音は、熱雑音、及び他のシステムからの干渉などを含む。雑音の平均電力は、以下のように表される。
【００３６】
【数１０】
0006668686.tif 000011
【００３７】
受信信号ｒｕは、以下のように、所望信号と他の信号とにより表されることも可能である。
【００３８】
【数１１】
0006668686.tif 000012
【００３９】
上述した式において、右辺の第１項は、ユーザｕの所望信号、第２項は、ユーザｕのサービングセルｉ内の干渉（セル内干渉（intra-cell  interference）、又は、マルチユーザ干渉若しくはマルチアクセス干渉などと呼ばれる）、第３項は、セルｉ以外のセルからの干渉（セル間干渉（inter-cell  interference）と呼ばれる）である。
【００４０】
なお、直交多元接続（例えば、ＯＦＤＭＡ又はＳＣ−ＦＤＭＡ）などが採用される場合には、受信信号は、以下のように表されることが可能である。
【００４１】
【数１２】
0006668686.tif 000013
【００４２】
直交多元接続では、セル内干渉がなく、また、他のセルｊにおいても他のユーザｖの信号が同一の無線リソースにおいて多重化されない。
【００４３】
（ｂ）アップリンク
次に、ＳＰＣが採用される場合のアップリンクの送信信号及び受信信号を説明する。ここでは、ＨｅｔＮｅｔ又はＳＣＥなどのマルチセルシステムを想定する。なお、信号などを表す記号として、ダウンリンクについて用いられた記号を流用する。
【００４４】
セルｉにおいてユーザｕが送信する送信信号は、以下のようにベクトル形式で表されることが可能である。
【００４５】
【数１３】
0006668686.tif 000014
【００４６】
【数１４】
0006668686.tif 000015
【００４７】
【数１５】
0006668686.tif 000016
【００４８】
【数１６】
0006668686.tif 000017
【００４９】
上述した式において、送信アンテナ数は、ユーザの送信アンテナの数ＮＴＸ，ｕである。セルｉにおけるユーザｕのための電力割当て係数行列である行列Ｐｉ，ｕは、ダウンリンクのケースと同様に、対角行列であってもよい。
【００５０】
アップリンクでは、ユーザ内で、当該ユーザの信号と他のユーザの信号とを多重化することはないので、セルｉの基地局の受信信号は、以下のように表されることが可能である。
【００５１】
【数１７】
0006668686.tif 000018
【００５２】
【数１８】
0006668686.tif 000019
【００５３】
【数１９】
0006668686.tif 000020
【００５４】
ダウンリンクのケースとは異なり、アップリンクのケースでは、基地局は、セル内の複数のユーザからの信号を全て復号することが必要であるという点に留意すべきである。さらに、チャネル応答行列がユーザによって異なるという点も留意が必要である。
【００５５】
とりわけ、セルｉ内のアップリンク信号の中でも、ユーザｕにより送信される信号に着目すると、受信信号は、以下のように表されることが可能である。
【００５６】
【数２０】
0006668686.tif 000021
【００５７】
上述した式において、右辺の第１項は、ユーザｕの所望信号、第２項は、ユーザｕのサービングセルｉ内の干渉（セル内干渉、又は、マルチユーザ干渉若しくはマルチアクセス干渉などと呼ばれる）、第３項は、セルｉ以外のセルからの干渉（セル間干渉と呼ばれる）である。
【００５８】
なお、直交多元接続（例えば、ＯＦＤＭＡ又はＳＣ−ＦＤＭＡ）などが採用される場合には、受信信号は、以下のように表されることが可能である。
【００５９】
【数２１】
0006668686.tif 000022
【００６０】
直交多元接続では、セル内干渉がなく、また、他のセルｊにおいても他のユーザｖの信号が同一の無線リソースにおいて多重化されない。
【００６１】
（３）実施の形態の背景
続いて、本開示の実施の形態の背景を説明する。
【００６２】
ＳＰＣを採用する場合、電力領域で多重された信号を高精度に受信・復号する場合には、受信側装置においてＳＩＣを利用することが考えられる。受信側装置においてＳＩＣを利用する際には、干渉除去の性能をいかに向上させるかが重要となる。さらに、仮に干渉除去の性能が不十分であったとしても、その後に続くＦＥＣの復号性能をいかに有効利用するかどうかがポイントとなる。その性能向上を実現するためには、送信側装置においても、従来のＳＰＣのみでは不十分であり、干渉除去とＦＥＣ復号を効率的に融合させるための処理を施すことが必要となる。
【００６３】
さらに、この干渉除去とＦＥＣ復号の効率化を実現するためには、後方互換性についても考えることが望ましい。従来でも、上記特許文献２では干渉除去効果のための干渉ランダム化として、セルごとにインタリーブを適用する技術を開示している。ただし、上記特許文献２で開示されている技術に従う場合、全ての装置がＳＩＣおよび干渉除去機能をもつ必要があるため、後方互換性という点で欠点があると言える。また、セルごとのインタリーブでは、ＳＰＣで多重されている信号間の干渉除去の効果は望めない。
【００６４】
また近年の通信システムでは、複数のアンテナを送信装置および受信装置で採用するＭＩＭＯ（Ｍｕｌｔｉ−Ｉｎｐｕｔ  Ｍｕｌｔｉ−Ｏｕｔｐｕｔ）が重要視されている。このようなＭＩＭＯを採用する通信システムでＳＰＣおよびインタリーブ技術をさらに適用する場合には、電力領域に加えて空間領域も含めた多重およびインタリーバ選択が必要となる。この点についても、上記各特許文献では開示されておらず、特性向上のためには不十分であると言える。
【００６５】
以下において、ＮＯＭＡ／ＳＰＣの基本的な電力配分及び受信装置の課題を示す。図４は、ＮＯＭＡ／ＳＰＣにおける受信装置での干渉除去の必要性を説明するための説明図である。
【００６６】
ＮＯＭＡ／ＳＰＣでは、少なくとも一部で同一の周波数リソースおよび時間リソースの上で、電力レベルに差を設けることで複数の信号を多重する。図４では、Ｄｏｗｎｌｉｎｋにおける２つの装置（Ｆａｒ  ＵＥ及びＮｅａｒ  ＵＥ）に向けた信号をそれぞれ異なる電力で多重している場合である。
【００６７】
一般的には、電力レベルの配分は、送信装置の総送信電力の上限を加味しながら、送信装置と受信装置の間のパスロス（パスゲイン、想定される受信品質（ＳＩＮＲ）でもよい）の相対関係に従って設定されることが望ましい。パスロスの場合は、例えば距離が遠い、アンテナ指向性のメインローブから外れている、などのパスロスが大きい装置（図４ではＦａｒ  ＵＥ）宛の信号に高い電力を割当てて、例えば距離が近い、アンテナ指向性のメインローブに入っている、などのパスロスが小さい装置（図４ではＮｅａｒ  ＵＥ）宛の信号に低い電力を割当てる。
【００６８】
このように基地局から電力レベルに差を付けて送信すると、ＮＯＭＡ／ＳＰＣによるＳＩＲ（Ｓｉｇｎｌａ−ｔｏ−Ｉｎｔｅｒｆｅｒｅｎｃｅ  Ｒａｔｉｏ）の観点では、Ｆａｒ  ＵＥでは１以上（０ｄＢ以上）、Ｎｅａｒ  ＵＥでは１以下（０ｄＢ以下）となることが予想される。つまり、特にＮｅａｒ  ＵＥでは、自身宛の信号を復号するために、干渉となっているＦａｒ  ＵＥ宛の信号に対して、例えば干渉除去を施すことが必要となる。
【００６９】
ＳＰＣを実施する場合、送信をする複素数の信号点（シンボル）にそれぞれの信号で選択された送信重みが乗算され、それらの信号を乗算されることになるため、干渉キャンセル特性の点で送信重みをどのように決定するかが課題と考えられる。例えばＬＴＥの場合、Ｔｒａｎｓｍｉｓｓｉｏｎ  Ｍｏｄｅ（ＴＭ）  ３およびＴＭ４の時、表１の送信重みテーブルから適用する重みが選択されて送信重みの計算に使用される。しかしＳＰＣの場合は多重をした信号間で干渉が発生するため、選択された送信重みの組み合わせによってはビット誤り率特性の劣化につながる可能性があると考えられる。
【００７０】
【表１】
0006668686.tif 000023
【００７１】
図５は、本開示の実施の形態が適用されうる通信ネットワークの全体構成の一例を示す説明図である。図５の「デバイス（Ｄｅｖｉｃｅ）レイヤ」については、ユーザ端末装置のみではなく、基地局装置（ＮｏｄｅＢ（ＮＢ）、ｅＮＢ、アクセスポイント（ＡＰ）など）など、無線通信機能を有する通信装置をデバイスレイヤに含むものとする。図には示さないが、ユーザ端末装置と基地局装置をさらに別のレイヤに分けてもよい。分ける場合には、基地局装置がコアネットワークに近いこととなるのが望ましい。
【００７２】
図５に示した通信ネットワークの構成例では、デバイスレイヤに属するユーザ端末装置が、アプリケーションサーバ装置が提供するサービスについてネットワークを介して利用するようなケースである。論理的なセッションとしては、ユーザ端末装置とアプリケーションサーバ装置のやり取りとして考えることができる。
【００７３】
一方で、ネットワークレイヤの接続として考えると、論理的セッションに加えて、さらにネットワーク構成を考えることができる。例として、デバイスレイヤの通信装置がセルラーシステムを構成するような場合、１以上の基地局装置はコアネットワークと呼ばれるセルラーシステムの制御／ユーザデータネットワークに接続される。そして、コアネットワーク内のゲートウェイ装置を介して、公衆ＩＰ（Ｉｎｔｅｒｎｅｔ  Ｐｒｏｔｏｃｏｌ）ネットワークに接続する。一方、アプリケーションサーバ装置は、例えばクラウドシステムのように複数の他のサーバとともにサービスプラットフォームを構成する一要素として考えることもできる。そのような場合にも、サービスプラットフォーム側にゲートウェイに相当する通信装置を設けて、公衆ＩＰネットワークとの接続を果たす機能をもたせてもよい。
【００７４】
コアネットワーク、ＩＰネットワーク、サービスプラットフォームの内部では、さらに物理的な通信装置として、ルータ、スイッチ、ルータ・スイッチなどネットワークを仮想化する仮想化装置、ネットワーク仮想化制御装置、ケーブルなどで構成されうる。図６は、論理エンティティと物理的ネットワーク装置の違いの一例を示したものである。例として、基地局装置の間にＸ２インタフェースと呼ばれるインタフェースがあるが、これは論理インタフェースであり、実際に物理的に直結されているとは限らない点に注意が必要である。実際には物理的に複数のエンティティを介したのちに接続されていることも考えられる。
【００７５】
本開示の実施の形態が対象とする無線アクセス技術（ＲＡＴ：Ｒａｄｉｏ  Ａｃｃｅｓｓ  Ｔｅｃｈｎｏｌｏｇｙ）は、図５に示したネットワークの構成例の中でも、特にデバイスレイヤに属する通信装置の間の無線接続を実現するための技術である。
【００７６】
図７は、通信ネットワーク構成の別の例の一つである、ＭＴＣ（Ｍａｃｈｉｎｅ  Ｔｙｐｅ  Ｃｏｍｍｕｎｉｃａｔｉｏｎｓ）におけるネットワーク構成を示す説明図である。本開示の実施の形態におけるＲＡＴについては、図中のＲＡＮ（Ｒａｄｉｏ  Ａｃｃｅｓｓ  Ｎｅｔｗｏｒｋ）で利用されるアクセス方式に相当する。ＵＥ（Ｕｓｅｒ  Ｅｑｕｉｐｍｅｎｔ）は端末装置に相当し、その上でＭＴＣアプリケーションが動作しているものとする。基地局装置は図７には明示されていないが、ＲＡＮの中に存在し、ＵＥと接続を有しているものと考えられる。
【００７７】
また、図７では、「ＨＰＬＭＮ（Ｈｏｍｅ  Ｐｕｂｌｉｃｋ  Ｌａｎｄ  Ｍｏｂｉｌｅ  Ｎｅｔｗｏｒｋ）」「ＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ）」とあるが、これは異なる通信事業者をローミングする場合の構成である。ＨＰＬＭＮは、対象の通信装置（例えばＵＥ）が本来属する通信事業者側のネットワークであり、一方、ＶＰＬＭＮは通信装置のローミング先のネットワークに該当する。ＨＰＬＭＮとＶＰＬＭＮの間には、図７では省略されているが、公衆ＩＰネットワークが間を中継していてもよい。ローミング中の場合は、図７に示すとおり、特に制御プレーンのデータは、ＶＰＬＭＮからＨＰＬＭＮ内のエンティティへ中継がされる。これは、対象となるＵＥの制御情報は、ホームである通信事業者側で管理する必要があるためである。一方、ユーザプレーンのデータはＶＰＬＭＮ側のゲートウェイからＨＰＬＭＮ側のゲートウェイに中継された後に、アプリケーションサーバへと中継、転送される（公衆ＩＰネットワークやサービスプラットフォームのエンティティを経由してもよい）。もしローミングが発生していない通常時でれば、ＨＰＬＭＮ／ＶＰＬＭＮの境界はないこととなる。
【００７８】
アプリケーションサーバによってサービスを提供する場合に、さらにＳＣＳ（Ｓｅｒｖｉｃｅｓ  Ｃａｐａｂｉｌｉｔｙ  Ｓｅｒｖｅｒ）を設けて、提供可能サービスを適切に選択することをしてもよい。例として、あるサービスを提供するにあたって、事前に対象のＵＥにモニタリングやセンシングを実施することが必要である場合に、ＳＣＳがそのトリガをＵＥに対して要求することで、スムーズにサービスの提供を開始することが可能となる。ＳＣＳは、すべてのアプリケーションサーバに対して必要なわけではなく、例えば、図７に示すように、ＳＣＳを伴うもの、伴わないものというように、提供サービスに応じてハイブリッドな構成にすることも可能である。
【００７９】
図８は、本実施の形態が対象とするＨｅｔＮｅｔやＳＣＥのネットワーク構成を示す説明図である。図８において破線で示した回線は、論理的な接続を意味しており、物理的に直接繋がっているとは限らない。
【００８０】
通信エリアは複数の基地局それぞれがサービスを提供する、図８における楕円で示した「セル」によって構成されている。セルは、一つの基地局が複数提供してもよい。図８では、マクロセル基地局４０と、スモールセル基地局５０と、が示されている。マクロセル基地局４０はマクロセルエリア４１をカバーし、スモールセル基地局５０は、マクロセルエリア４１より狭いスモールセルエリア５１をカバーする。以下の説明ではマクロセル基地局４０と、スモールセル基地局５０とをまとめて「基地局」と説明することもある。
【００８１】
基地局は、基地局同士でバックホールを介して通信可能であり、主に制御情報のやり取りを実施する。バックホールは有線であるか無線であるかは問わない。このバックホールは、例えばＸ２インタフェースあるいはＳ１インタフェースのプロトコルを使った情報のやり取りを採用してもよい。
【００８２】
また、基地局は、システムのコアネットワーク３３とのバックホールも有する。その際に、制御エンティティ３４と接続をすることでコアネットワーク３３と接続をしてもよい。換言すれば、制御エンティティ３４をコアネットワーク３３の要素の一つと捉えてもよい。また、基地局は、制御エンティティ３４を介する以外にも、外部ネットワーク３０、ゲートウェイ装置３１を介してコアネットワーク３３と接続してもよい。このような例としては、室内や家庭内に敷設可能なフェムトセル基地局装置やＨｅＮＢ（Ｈｏｍｅ  ｅＮＢ）装置が該当する。フェムトセル基地局装置やＨｅＮＢ装置は、例えばＨｅＮＢ用ゲートウェイ装置３２を介して外部ネットワーク３０と接続してもよい。
【００８３】
スモールセルエリア５１は、基本的にはマクロセルエリア４１と重なるように配置される。ただし、他にもスモールセルエリア５１は、マクロセルエリア４１と部分的に同一あるいは完全に外側に配置してもよい。
【００８４】
マクロセルとスモールセルとは、使う無線リソースに特徴を持たせてもよい。例えば、マクロセルとスモールセルとで同一の周波数リソースＦ１（あるいは時間リソースＴ１）を使ってもよい。マクロセルとスモールセルとで同一の周波数リソースＦ１（あるいは時間リソースＴ１）を使うことで、システム全体としての無線リソース利用効率を向上させることが可能となる。
【００８５】
一方、マクロセルが周波数リソースＦ１（あるいは時間リソースＴ１）を利用し、スモールセルが周波数Ｆ２（あるいは時間リソースＴ２）を使うようにしてもよい。マクロセルとスモールセルとで異なる周波数リソース（あるいは時間リソース）を使うことで、マクロセルとスモールセルの間の干渉を回避することが可能になる。さらにＦ１／２（Ｔ１／２）を両種類のセルがそれぞれ両方使うようにしてもよい。これは、特に周波数リソースに適用すると、ＣＡ（Ｃａｒｒｉｅｒ  Ａｇｇｒｅｇａｔｉｏｎ）と同等の考え方となる。
【００８６】
［１．２．構成例］
続いて、図９を参照して、本開示の実施形態に係るシステム１の概略的な構成を説明する。図９は、本開示の実施形態に係るシステム１の概略的な構成の一例を示す説明図である。図９を参照すると、システム１は、基地局１００及び端末装置２００を含む。ここでは、端末装置２００は、ユーザとも呼ばれる。当該ユーザは、ユーザ機器（ＵＥ）とも呼ばれ得る。ここでのＵＥは、ＬＴＥ又はＬＴＥ−Ａにおいて定義されているＵＥであってもよく、より一般的に通信機器を意味してもよい。
【００８７】
（１）基地局１００
基地局１００は、セルラーシステム（又は移動体通信システム）の基地局である。基地局１００は、基地局１００のセル１０内に位置する端末装置（例えば、端末装置２００）との無線通信を行う。例えば、基地局１００は、端末装置へのダウンリンク信号を送信し、端末装置からのアップリンク信号を受信する。
【００８８】
（２）端末装置２００
端末装置２００は、セルラーシステム（又は移動体通信システム）において通信可能である。端末装置２００は、セルラーシステムの基地局（例えば、基地局１００）との無線通信を行う。例えば、端末装置２００は、基地局からのダウンリンク信号を受信し、基地局へのアップリンク信号を送信する。
【００８９】
（３）多重化／多元接続
とりわけ本開示の一実施形態では、基地局１００は、非直交多元接続により、複数の端末装置との無線通信を行う。より具体的には、基地局１００は、電力割当てを用いた多重化／多元接続により、複数の端末装置との無線通信を行う。例えば、基地局１００は、ＳＰＣを用いた多重化／多元接続により、複数の端末装置との無線通信を行う。
【００９０】
例えば、基地局１００は、ダウンリンクにおいて、ＳＰＣを用いた多重化／多元接続により、複数の端末装置との無線通信を行う。より具体的には、例えば、基地局１００は、複数の端末装置への信号を、ＳＰＣを用いて多重化する。この場合に、例えば、端末装置２００は、所望信号（即ち、端末装置２００への信号）を含む多重化信号から、干渉として１つ以上の他の信号を除去し、上記所望信号を復号する。
【００９１】
なお、基地局１００は、ダウンリンクの代わりに、又はダウンリンクとともに、アップリンクにおいて、ＳＰＣを用いた多重化／多元接続により、複数の端末装置との無線通信を行ってもよい。この場合に、基地局１００は、当該複数の端末装置により送信される信号を含む多重化信号から、当該信号の各々を復号してもよい。
【００９２】
続いて、図１０及び図１１を参照して、本開示の実施形態に係る基地局１００及び端末装置２００の構成を説明する。
【００９３】
まず、図１０を参照して、本開示の実施形態に係る基地局１００の構成の一例を説明する。図１０は、本開示の実施形態に係る基地局１００の構成の一例を示すブロック図である。図１０を参照すると、基地局１００は、アンテナ部１１０、無線通信部１２０、ネットワーク通信部１３０、記憶部１４０及び処理部１５０を備える。
【００９４】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００９５】
（２）無線通信部１２０
無線通信部１２０は、信号を送受信する。例えば、無線通信部１２０は、端末装置へのダウンリンク信号を送信し、端末装置からのアップリンク信号を受信する。
【００９６】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００９７】
（４）記憶部１４０
記憶部１４０は、基地局１００の動作のためのプログラム及び様々なデータを一時的に又は恒久的に記憶する。
【００９８】
（５）処理部１５０
処理部１５０は、基地局１００の様々な機能を提供する。処理部１５０は、送信処理部１５１及び通知部１５３含む。なお、処理部１５０は、これらの構成要素以外の他の構成要素をさらに含み得る。即ち、処理部１５０は、これらの構成要素の動作以外の動作も行い得る。
【００９９】
送信処理部１５１及び通知部１５３の動作は、後に詳細に説明する。
【０１００】
次に、図１１を参照して、本開示の実施形態に係る端末装置２００の構成の一例を説明する。図１１は、本開示の実施形態に係る端末装置２００の構成の一例を示すブロック図である。図１１を参照すると、端末装置２００は、アンテナ部２１０、無線通信部２２０、記憶部２３０及び処理部２４０を備える。
【０１０１】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【０１０２】
（２）無線通信部２２０
無線通信部２２０は、信号を送受信する。例えば、無線通信部２２０は、基地局からのダウンリンク信号を受信し、基地局へのアップリンク信号を送信する。
【０１０３】
（３）記憶部２３０
記憶部２３０は、端末装置２００の動作のためのプログラム及び様々なデータを一時的に又は恒久的に記憶する。
【０１０４】
（４）処理部２４０
処理部２４０は、端末装置２００の様々な機能を提供する。処理部２４０は、取得部２４１、受信処理部２４３及び通知部２４５を含む。なお、処理部２４０は、これらの構成要素以外の他の構成要素をさらに含み得る。即ち、処理部２４０は、これらの構成要素の動作以外の動作も行い得る。
【０１０５】
取得部２４１、受信処理部２４３及び通知部２４５の動作は、後に詳細に説明する。
【０１０６】
［１．３．動作例］
続いて、本開示の実施の形態に係る基地局１００及び端末装置２００の動作例について説明する。
【０１０７】
（１）ＳＰＣ多重される信号に乗算する送信重みの選択方法
まず、基地局１００が、ＳＰＣ多重、すなわち、少なくとも一部で同一の周波数リソースおよび時間リソースの上で、電力レベルに差を設けることで多重される信号に乗算する送信重みを選択する方法を説明する。
【０１０８】
図１２は、本開示の実施の形態に係る基地局１００の動作例を示す流れ図である。図１２に示した流れ図は、ＳＰＣ多重される信号に乗算する送信重みを選択する方法を示した流れ図である。以下、図１２を用いて本開示の実施の形態に係る基地局１００の動作例を説明する。なお、以下の説明では、多重する信号の数を２として説明する。また図１２に示した流れ図は、多重する２つの信号のうち一方の信号を送信重み選択ルールの切り替え対象とした場合の、基地局１００の動作例である。
【０１０９】
基地局１００は、対象の信号が、少なくとも一部が同一の周波数あるいは時間リソース上で他の信号と多重される信号であるかどうかを判断する（ステップＳ１０１）。ステップＳ１０１の処理は、例えば送信処理部１５１が実行する。
【０１１０】
上記ステップＳ１０１の判断の結果、対象の信号が、少なくとも一部が同一の周波数あるいは時間リソース上で他の信号と多重される信号である場合は（ステップＳ１０１、Ｙｅｓ）、続いて基地局１００は、対象の信号に、他の信号と比べて小さい電力レベルが割り当てられているかどうかを判断する（ステップＳ１０２）。ステップＳ１０２の処理は、例えば送信処理部１５１が実行する。
【０１１１】
上記ステップＳ１０２の判断の結果、対象の信号に、他の信号と比べて小さい電力レベルが割り当てられていれば（ステップＳ１０２、Ｙｅｓ）、続いて基地局１００は、対象の信号に乗算する送信重みは準静的に決定される重みであるかどうかを判断する（ステップＳ１０３）。ステップＳ１０３の処理は、例えば送信処理部１５１が実行する。送信重みが準静的に決定される重みであるかとは、例えば表１にしめしたように決定される重みであるか、ということである。
【０１１２】
上記ステップＳ１０３の判断の結果、対象の信号に乗算する送信重みが準静的に決定される重みであれば（ステップＳ１０３、Ｙｅｓ）、続いて基地局１００は、送信重み選択ルールを切り替えて、その信号に乗算する送信重みを選択する（ステップＳ１０４）。ステップＳ１０４の処理は、例えば送信処理部１５１が実行する。
【０１１３】
一方、上記ステップＳ１０１〜Ｓ１０３の判断の結果、いずれも否定の結果であった場合は、基地局１００は、従来の送信重み選択ルールに従うことを決定する（ステップＳ１０５）。
【０１１４】
最後に、基地局１００は、上記ステップＳ１０４で選択した送信重み、または上記ステップＳ１０５で決定した、従来の送信重み選択ルールに従って決められた送信重みを、送信信号に乗算する（ステップＳ１０６）。ステップＳ１０６の処理は、例えば送信処理部１５１が実行する。
【０１１５】
続いて、上記ステップＳ１０４における、送信重み選択ルールを切り替えるとした場合の送信重みの選択方法について説明する。選択ルールの切り替えとしては、例えば電力レイヤ情報や、多重する他方の送信重み種別などの状態に応じたルールの切り替えが考えられる。
【０１１６】
図１３は、本開示の実施の形態に係る基地局１００による送信重みの選択方法を説明する説明図である。図１３に示したのは、多重される信号の信号点配置の状態に応じた変換ルールの切り替えの一例である。図１３には、２つの信号点０、１に対して送信重みを選択する場合が示されている。信号点０は高い電力レベルが割り当てられる方の信号点であり、信号点１は高い電力レベルが割り当てられる方の信号点である。この２つの信号点に対して、それぞれ送信重みをＰｒｅｃｏｄｉｎｇ０、１で与える。
【０１１７】
新規送信重み選択の具体例として、例えば、上記表１に示したＴｒａｎｓｍｉｓｓｉｏｎ  Ｍｏｄｅ  ３かつＡｎｔｅｎｎａ  Ｐｏｒｔ数が２の場合、ＬＴＥの送信重み選択ルールに基づくとＣｏｄｅｂｏｏｋ  Ｉｎｄｅｘ＝０の送信重みが選択されるが、新規の送信重み選択ルールではＣｏｄｅｂｏｏｋ  Ｉｎｄｅｘ＝０以外、例えば、Ｃｏｄｅｂｏｏｋ  Ｉｎｄｅｘ＝１の送信重みも選択することができる、といったようにする。
【０１１８】
新規送信重み選択の別の例としては、Ｔｒａｎｓｍｉｓｓｉｏｎ  Ｍｏｄｅ  ４かつＡｎｔｅｎｎａ  Ｐｏｒｔ数が２の場合はＣｏｄｅｂｏｏｋ  Ｉｎｄｅｘ＝１または２が選択されるが、先の例と同様に、０なども選択できるといったようにする。
【０１１９】
基地局１００は、送信重みの選択時に、選択をする送信重みは動的に決めてもよいし、静的に定義をしてもよい。基地局１００は、例えば動的に決定する場合は、どの送信重みが選択されたかを受信機（端末装置２００）に通知をする必要があるため、ＲＲＣ  Ｓｉｇｎａｌｉｎｇ、Ｓｙｓｔｅｍ  Ｉｎｆｏｒｍａｔｉｏｎ、Ｄｏｗｎｌｉｎｋ  Ｃｏｎｔｒｏｌ  Ｉｎｆｏｒｍａｔｉｏｎ等で対象の受信機に選択された送信重みのＩｎｄｅｘを通知する。この通知は通知部１５３が実行する。基地局１００は、選択した送信重みＩｎｄｅｘの通知を選択の度に毎回必ず行ってもよいが、送信重み切り替え可能なタイミングを判断して、そのタイミングでのみ切り替えを行い、対象の受信機に通知してもよい。
【０１２０】
基地局１００は、送信重みをランダムなタイミングで切り替えてもよく、受信機からの通信品質フィードバックを基に切り替えてもよい。また基地局１００は、送信重みを一定のタイミング、例えば１フレームごとに切り替えても良く、ＣＲＣエラー等の復号誤りが受信機側で発生したタイミングで切り替えてもよい。また基地局１００は、送信重みを再送のタイミングで切り替えてもよく、受信機の位置情報から受信機との距離に所定値以上の変化があったタイミングで切り替えてもよい。
【０１２１】
図１４は、本実施の形態に係る基地局１００（送信機）及び端末装置２００（受信機）の動作例を示す流れ図である。図１４に示したのは、基地局１００で送信重みを切り替える際の基地局１００及び端末装置２００の動作例である。以下、図１４を用いて本実施の形態に係る基地局１００及び端末装置２００の動作例について説明する。
【０１２２】
まず基地局１００は、送信重みの切り替えタイミングであるかどうかを判断する（ステップＳ１１１）。ステップＳ１１１の判断は送信処理部１５１が行う。基地局１００は、送信重みの切り替えタイミングであるかどうかを、例えば上述したタイミングであるかどうかで判断する。なお基地局１００は、送信重みをランダムなタイミングで切り替える場合には、ステップＳ１１１の判断をスキップしても良い。
【０１２３】
上記ステップＳ１１１の判断の結果、送信重みの切り替えタイミングにあると判断した場合は（ステップＳ１１１、Ｙｅｓ）、続いて基地局１００は、受信機（端末装置２００）に対して、送信重みを切り替え可能なタイミングであることを通知する（ステップＳ１１２）。ステップＳ１１２の処理は通知部１５３が行う。
【０１２４】
基地局１００からの通知を受けた受信機（端末装置２００）は、送信重み切り替え要求を出すか判断する（ステップＳ１１３）。ステップＳ１１３の処理は受信処理部２４３が実行する。
【０１２５】
そして受信機（端末装置２００）は、ステップＳ１１３の処理を受けて、基地局１００へ送信重み切り替え要求を出すか判断し（ステップＳ１１４）、基地局１００へ送信重み切り替え要求を出す場合は（ステップＳ１１４、Ｙｅｓ）、基地局１００へ送信重み切り替え要求を通知する（ステップＳ１１５）。ステップＳ１１４の判断処理は例えば受信処理部２４３が実行しうる。そしてステップＳ１１５の通知処理は例えば通知部２４５が実行しうる。受信機は、基地局１００から送信された信号の品質に基づいて送信重み切り替え要求を出すことを決定しても良く、受信した信号の復号誤りが発生したタイミングで送信重み切り替え要求を出すことを決定しても良い。受信機は、送信重み切り替え要求をＲＲＣシグナリングの一部として通知してもよく、Ｕｐｌｉｎｋ  Ｃｏｎｔｒｏｌ  Ｉｎｆｏｒｍａｔｉｏｎの一部として通知してもよい。
【０１２６】
なお、基地局１００が上記ステップＳ１１１の判断で送信重みの切り替えタイミングに無いと判断した場合（ステップＳ１１１、Ｎｏ）、または、端末装置２００がステップＳ１１３の処理を受けて、基地局１００へ送信重み切り替え要求を出さないと判断した場合は（ステップＳ１１４、Ｎｏ）、基地局１００または端末装置２００は後続の処理をスキップする。
【０１２７】
一方で、静的に定義をする場合は、基地局１００は、例えば、電力レイヤにＣｏｄｅｂｏｏｋ  Ｉｎｄｅｘを紐づけてもよい。電力レイヤにＣｏｄｅｂｏｏｋ  Ｉｎｄｅｘを紐づけるような場合は、基地局１００は受信機への送信重みに関する情報の通知は不要となる。図１５は、電力レイヤにＣｏｄｅｂｏｏｋ  Ｉｎｄｅｘが紐づけられている場合の一例を示す説明図である。
【０１２８】
また、多重をする信号が２つの場合は、基地局１００は電力レベルが低いことを表す情報からＣｏｄｅｂｏｏｋ  Ｉｎｄｅｘを一意に決めてもよい。例えば、ＮＯＭＡ  ＳＰＣの場合は、割り当てられた電力レベルが低い信号を受信する受信機は、ＲＲＣ  Ｓｉｇｎａｌｉｎｇ、Ｓｙｓｔｅｍ  Ｉｎｆｏｒｍａｔｉｏｎ、Ｄｏｗｎｌｉｎｋ  Ｃｏｎｔｒｏｌ  Ｉｎｆｏｒｍａｔｉｏｎなどで、干渉キャンセルなどの処理が必要であることの情報の通知を受けることになると考えられる。この場合、通知を受けた受信機は、Ｃｏｄｅｂｏｏｋ  Ｉｎｄｅｘは従来使用される値以外の一意の値（例えばＣｏｄｅｂｏｏｋ  Ｉｎｄｅｘ＝１）を必ず使用すると事前に決めておくことで、新規に送信重みに関する情報の通知処理を追加することなく、異なる送信重みを使用することが可能となる。
【０１２９】
さらに、基地局１００は、準静的に選択された複数の送信重みの中から、対象の信号点以外の信号点に乗算される送信重みに基づいて送信重みを選択してもよい。例えば基地局１００は、電力レベルの大きい信号に適用される送信重みの情報に基づいて、電力レベルの小さな信号に適用される送信重みを選択してもよい。例えば基地局１００は、電力レベルの大きい信号に適用される送信重みのＣｏｄｅｂｏｏｋ  Ｉｎｄｅｘ＝０であれば、電力レベルの小さい信号に適用される送信重みはＣｏｄｅｂｏｏｋ  Ｉｎｄｅｘ＝１とするといったようにして決定をする。
【０１３０】
図１６は、２つのＵＥにＳＰＣを適用した場合において、Ｃｏｄｅｂｏｏｋ  Ｉｎｄｅｘの組み合わせにおける受信特性の例を示す説明図である。図１６に示した例では、２つのＵＥがいずれもＴＭ３で、ＳＰＣを適用した場合が示されている。なお、図１６ではＣｏｄｅｂｏｏｋ  ＩｎｄｅｘとしてＰｒｅｃｏｄｉｎｇ  Ｍａｔｒｉｘ  Ｉｎｄｉｃａｔｏｒ（ＰＭＩ）を示している。また図１６の横軸は、小さい電力レベルが割り当てられたユーザにおける平均受信ＳＮＲ［ｄＢ］、縦軸は、Ｂｌｏｃｋ  Ｅｒｒｏｒ  Ｒａｔｅ  （ＢＬＥＲ）特性である。
【０１３１】
図１６では、ＰＭＩ（Ａ，Ｂ）として図中に示されている。Ａは電力レベルの小さい信号に適用されるＣｏｄｅｂｏｏｋ  Ｉｎｄｅｘで、Ｂは電力レベルの大きい信号に適用されるＣｏｄｅｂｏｏｋ  Ｉｎｄｅｘである。
【０１３２】
図１６に示されるとおり、ＳＰＣ適用時のＣｏｄｅｂｏｏｋ  Ｉｎｄｅｘの組み合わせによっては、誤り率特性が劣化するケースが存在することが示されている。すなわち、ＳＰＣを適用した場合に、本実施の形態の送信重みの選択ルール切り替えを適用することは、誤り率特性が劣化するケースの対策となるといえる。
【０１３３】
＜２．基地局に関する応用例＞
（第１の応用例）
図１７は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１３４】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１７に示したように複数のアンテナ８１０を有し、複数のアンテナ８１０は、例えばｅＮＢ８００が使用する複数の周波数帯域にそれぞれ対応してもよい。なお、図１７にはｅＮＢ８００が複数のアンテナ８１０を有する例を示したが、ｅＮＢ８００は単一のアンテナ８１０を有してもよい。
【０１３５】
基地局装置８２０は、コントローラ８２１、メモリ８２２、ネットワークインタフェース８２３及び無線通信インタフェース８２５を備える。
【０１３６】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１３７】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１３８】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１３９】
無線通信インタフェース８２５は、図１７に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１７に示したように複数のＲＦ回路８２７を含み、複数のＲＦ回路８２７は、例えば複数のアンテナ素子にそれぞれ対応してもよい。なお、図１７には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１４０】
図１７に示したｅＮＢ８００において、図１０を参照して説明した処理部１５０に含まれる１つ以上の構成要素（送信処理部１５１及び／又は通知部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１４１】
また、図１７に示したｅＮＢ８００において、図１０を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１４２】
（第２の応用例）
図１８は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１４３】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１８に示したように複数のアンテナ８４０を有し、複数のアンテナ８４０は、例えばｅＮＢ８３０が使用する複数の周波数帯域にそれぞれ対応してもよい。なお、図１８にはｅＮＢ８３０が複数のアンテナ８４０を有する例を示したが、ｅＮＢ８３０は単一のアンテナ８４０を有してもよい。
【０１４４】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１７を参照して説明したコントローラ８２１、メモリ８２２及びネットワークインタフェース８２３と同様のものである。
【０１４５】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１７を参照して説明したＢＢプロセッサ８２６と同様のものである。無線通信インタフェース８５５は、図１８に示したように複数のＢＢプロセッサ８５６を含み、複数のＢＢプロセッサ８５６は、例えばｅＮＢ８３０が使用する複数の周波数帯域にそれぞれ対応してもよい。なお、図１８には無線通信インタフェース８５５が複数のＢＢプロセッサ８５６を含む例を示したが、無線通信インタフェース８５５は単一のＢＢプロセッサ８５６を含んでもよい。
【０１４６】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１４７】
また、ＲＲＨ８６０は、接続インタフェース８６１及び無線通信インタフェース８６３を備える。
【０１４８】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１４９】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１８に示したように複数のＲＦ回路８６４を含み、複数のＲＦ回路８６４は、例えば複数のアンテナ素子にそれぞれ対応してもよい。なお、図１８には無線通信インタフェース８６３が複数のＲＦ回路８６４を含む例を示したが、無線通信インタフェース８６３は単一のＲＦ回路８６４を含んでもよい。
【０１５０】
図１８に示したｅＮＢ８３０において、図１０を参照して説明した処理部１５０に含まれる１つ以上の構成要素（送信処理部１５１及び／又は通知部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１５１】
また、図１８に示したｅＮＢ８３０において、例えば、図１０を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１５２】
＜３．端末装置に関する応用例＞
（第１の応用例）
図１９は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１５３】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１５４】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１５５】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図１９に示したように複数のＢＢプロセッサ９１３及び複数のＲＦ回路９１４を含んでもよい。なお、図１９には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１５６】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１５７】
アンテナスイッチ９１５の各々は、無線通信インタフェース９１２に含まれる複数の回路（例えば、異なる無線通信方式のための回路）の間でアンテナ９１６の接続先を切り替える。
【０１５８】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図１９に示したように複数のアンテナ９１６を有してもよい。なお、図１９にはスマートフォン９００が複数のアンテナ９１６を有する例を示したが、スマートフォン９００は単一のアンテナ９１６を有してもよい。
【０１５９】
さらに、スマートフォン９００は、無線通信方式ごとにアンテナ９１６を備えてもよい。その場合に、アンテナスイッチ９１５は、スマートフォン９００の構成から省略されてもよい。
【０１６０】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図１９に示したスマートフォン９００の各ブロックへ電力を供給する。補助コントローラ９１９は、例えば、スリープモードにおいて、スマートフォン９００の必要最低限の機能を動作させる。
【０１６１】
図１９に示したスマートフォン９００において、図１１を参照して説明した処理部２４０に含まれる１つ以上の構成要素（取得部２４１及び／又は受信処理部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６２】
また、図１９に示したスマートフォン９００において、例えば、図１１を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１６３】
（第２の応用例）
図２０は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１６４】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１６５】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１６６】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１６７】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２０に示したように複数のＢＢプロセッサ９３４及び複数のＲＦ回路９３５を含んでもよい。なお、図２０には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１６８】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１６９】
アンテナスイッチ９３６の各々は、無線通信インタフェース９３３に含まれる複数の回路（例えば、異なる無線通信方式のための回路）の間でアンテナ９３７の接続先を切り替える。
【０１７０】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２０に示したように複数のアンテナ９３７を有してもよい。なお、図２０にはカーナビゲーション装置９２０が複数のアンテナ９３７を有する例を示したが、カーナビゲーション装置９２０は単一のアンテナ９３７を有してもよい。
【０１７１】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１７２】
バッテリー９３８は、図中に破線で部分的に示した給電ラインを介して、図２０に示したカーナビゲーション装置９２０の各ブロックへ電力を供給する。また、バッテリー９３８は、車両側から給電される電力を蓄積する。
【０１７３】
図２０に示したカーナビゲーション装置９２０において、図１１を参照して説明した処理部２４０に含まれる１つ以上の構成要素（取得部２４１及び／又は受信処理部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１７４】
また、図２０に示したカーナビゲーション装置９２０において、例えば、図１１を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１７５】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、取得部２４１及び／又は受信処理部２４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０１７６】
＜４．まとめ＞
本開示の実施の形態に係る基地局１００は、ＳＰＣ多重される信号に乗算する送信重みを選択する。基地局１００は、送信重みを選択する際に、選択をする送信重みは動的に決めてもよいし、静的に定義をしてもよい。
【０１７７】
そして本開示の実施の形態に係る端末装置２００は、基地局１００から送信重みの切り替え可能タイミングの通知を受信し、受信に応じて基地局１００へ送信重みの切り替え要求を通知する。
【０１７８】
本開示の実施の形態によれば、多重をされるユーザごとに乗算される送信重みを異なるものとすることが可能となり、ビット誤り率の改善または劣化の対策を行うことが可能となる、基地局１００及び端末装置２００が提供される。
【０１７９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１８０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１８１】
なお、以下のような構成も本開示の技術的範囲に属する。
（１）
複数個の信号点に乗算する送信重みを選択して、選択した前記送信重みを各前記信号点の信号に乗算し、乗算後の前記複数個の信号点を同一の周波数及び時間リソース上で多重する送信処理部を備え、
前記送信処理部は、各前記信号点に乗算する前記送信重みの選択ルールを異ならせる、送信装置。
（２）
前記送信処理部は、前記送信重みを乗算後の前記複数個の信号点を同一の周波数及び時間リソース上で多重する際に、各前記信号点に割り当てる電力レベルを異ならせる、前記（１）に記載の送信装置。
（３）
前記送信処理部は、前記送信重みを選択する際に、電力レベルが小さい前記信号点に乗算する前記送信重みの選択ルールを切り替える、前記（２）に記載の送信装置。
（４）
前記送信処理部は、前記送信重みを準静的に選択する、前記（３）に記載の送信装置。
（５）
前記送信処理部は、準静的に選択された複数の前記送信重みの中から動的に前記送信重みを選択する、前記（４）に記載の送信装置。
（６）
前記送信処理部は、動的に前記送信重みを選択する際に前記送信重みの切り替え判断を行う、前記（５）に記載の送信装置。
（７）
前記送信処理部は、ランダムなタイミングで前記送信重みを切り替える、前記（６）に記載の送信装置。
（８）
前記送信処理部は、送信された信号を受信する受信装置からのフィードバックに基づいて前記送信重みを切り替える、前記（６）に記載の送信装置。
（９）
前記送信処理部は、予め決められたタイミングで前記送信重みを切り替える、前記（６）に記載の送信装置。
（１０）
前記送信処理部は、送信された信号を受信する受信装置で復号誤りが発生したタイミングで前記送信重みを切り替える、前記（６）に記載の送信装置。
（１１）
前記送信処理部は、一度送信した信号を再送するタイミングで前記送信重みを切り替える、前記（６）に記載の送信装置。
（１２）
前記送信処理部は、送信された信号を受信する受信装置の位置情報に基づいて前記送信重みを切り替える、前記（６）に記載の送信装置。
（１３）
前記送信処理部が切り替えた前記送信重みに関する情報を、送信される信号を受信する受信装置へ通知する通知部をさらに備える、前記（５）に記載の送信装置。
（１４）
前記通知部は、前記送信重みに関する情報をＲＲＣシグナリングの一部として通知する、前記（１３）に記載の送信装置。
（１５）
前記通知部は、前記送信重みに関する情報をＳｙｓｔｅｍ  Ｉｎｆｏｒｍａｔｉｏｎの一部として通知する、前記（１３）に記載の送信装置。
（１６）
前記通知部は、前記送信重みに関する情報をＤｏｗｎｌｉｎｋ  Ｃｏｎｔｒｏｌ  Ｉｎｆｏｒｍａｔｉｏｎの一部として通知する、前記（１３）に記載の送信装置。
（１７）
前記通知部は、前記送信重みに関する情報として前記送信重みのＣｏｄｅｂｏｏｋ  Ｉｎｄｅｘを通知する、前記（１３）に記載の送信装置。
（１８）
前記通知部は、前記送信重みに関する情報として前記送信重みの切り替え可能タイミングを通知する、前記（１３）に記載の送信装置。
（１９）
前記送信処理部は、準静的に選択された複数の前記送信重みの中から、電力レイヤのインデックスに基づいて前記送信重みを選択する、前記（４）に記載の送信装置。
（２０）
前記送信処理部は、準静的に選択された複数の前記送信重みの中から、干渉をキャンセルする処理に関する情報を用いて前記送信重みを選択する、前記（４）に記載の送信装置。
（２１）
前記送信処理部は、準静的に選択された複数の前記送信重みの中から、対象の前記信号点以外の信号点に乗算される送信重みに基づいて前記送信重みを選択する、前記（４）に記載の送信装置。
（２２）
複数個の信号点に乗算する送信重みを選択して、選択した前記送信重みを各前記信号点の信号に乗算し、乗算後の前記複数個の信号点を同一の周波数及び時間リソース上で多重して送信する送信装置から送信される、前記送信重みの切り替え可能タイミングの通知を取得する取得部と、
前記取得部が前記送信重みの切り替え可能タイミングの通知を取得すると、前記送信装置へ前記送信重みの切り替え要求を通知する通知部と、
を備える、受信装置。
（２３）
前記取得部が前記送信重みの切り替え可能タイミングの通知を取得すると、前記送信重みの切り替え要求の通知判断を行う受信処理部を備える。前記（２２）に記載の受信装置。
（２４）
前記受信処理部は、前記送信装置から受信した信号の品質に基づいて通知判断を行う、前記（２２）に記載の受信装置。
（２５）
前記受信処理部は、前記送信装置から受信した信号の復号誤りが発生したタイミングで前記通知部に前記送信重みの切り替え要求を通知させる、前記（２３）に記載の受信装置。
（２６）
前記通知部は、前記送信重みの切り替え要求をＲＲＣシグナリングの一部として通知する、前記（２２）に記載の受信装置。
（２７）
前記通知部は、前記送信重みの切り替え要求をＵｐｌｉｎｋ  Ｃｏｎｔｒｏｌ  Ｉｎｆｏｒｍａｔｉｏｎの一部として通知する、前記（２２）に記載の受信装置。
（２８）
複数個の信号点に乗算する送信重みを選択して、選択した前記送信重みを各前記信号点の信号に乗算し、乗算後の前記複数個の信号点を同一の周波数及び時間リソース上で多重する際に、各前記信号点に乗算する前記送信重みの選択ルールを異ならせることを含む、送信方法。
（２９）
複数個の信号点に乗算する送信重みを選択して、選択した前記送信重みを各前記信号点の信号に乗算し、乗算後の前記複数個の信号点を同一の周波数及び時間リソース上で多重して送信する送信装置から送信される、前記送信重みの切り替え可能タイミングの通知を取得することと、
前記送信重みの切り替え可能タイミングの通知を取得すると、前記送信装置へ前記送信重みの切り替え要求を通知することと、
を含む、受信方法。
（３０）
複数個の信号点に乗算する送信重みを選択して、選択した前記送信重みを各前記信号点の信号に乗算し、乗算後の前記複数個の信号点を同一の周波数及び時間リソース上で多重する際に、各前記信号点に乗算する前記送信重みの選択ルールを異ならせることをコンピュータに実行させる、コンピュータプログラム。
（３１）
コンピュータに、
複数個の信号点に乗算する送信重みを選択して、選択した前記送信重みを各前記信号点の信号に乗算し、乗算後の前記複数個の信号点を同一の周波数及び時間リソース上で多重して送信する送信装置から送信される、前記送信重みの切り替え可能タイミングの通知を取得することと、
前記送信重みの切り替え可能タイミングの通知を取得すると、前記送信装置へ前記送信重みの切り替え要求を通知することと、
を実行させる、コンピュータプログラム。
【符号の説明】
【０１８２】
１        システム
１００    基地局
１０１    セル
１１０    アンテナ部
１２０    無線通信部
１３０    ネットワーク通信部
１４０    記憶部
１５０    処理部
１５１    送信処理部
１５３    通知部
２００    端末装置
２１０    アンテナ部
２２０    無線通信部
２３０    記憶部
２４０    処理部
２４１    取得部
２４３    受信処理部
２４５    通知部
【図１】
0006668686.tif 000024
【図２】
0006668686.tif 000025
【図３】
0006668686.tif 000026
【図４】
0006668686.tif 000027
【図５】
0006668686.tif 000028
【図６】
0006668686.tif 000029
【図７】
0006668686.tif 000030
【図８】
0006668686.tif 000031
【図９】
0006668686.tif 000032
【図１０】
0006668686.tif 000033
【図１１】
0006668686.tif 000034
【図１２】
0006668686.tif 000035
【図１３】
0006668686.tif 000036
【図１４】
0006668686.tif 000037
【図１５】
0006668686.tif 000038
【図１６】
0006668686.tif 000039
【図１７】
0006668686.tif 000040
【図１８】
0006668686.tif 000041
【図１９】
0006668686.tif 000042
【図２０】
0006668686.tif 000043